【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】
遊技機の表枠前面に対し開閉自在な上側表部材及び下側表部材と、
前記下側表部材に設けられた遊技媒体貯留可能な受皿へと遊技媒体を排出する前記表枠前面の内部に設けられた遊技媒体通路と、
前記遊技媒体通路から遊技媒体が払い出される前記表枠側の払出し口と、
前記払出し口と連通する前記受皿側の払出し受口と、
を備えた遊技機の遊技媒体通路口における遊技機用シャッター装置において、
前記払出し口の遮断及び遮断状態の解除を行う表枠側の第１遮蔽機構を備え、
前記第１遮蔽機構は、
当該第１遮蔽機構の外装部材である支持体と、
前記支持体における所定位置の支点を中心に揺動自在に軸支されたテコ部材と、
前記テコ部材の一方先端側に回動自在に軸支された遮断部材と、
を備え、
前記下側表部材の開放操作によって前記払出し口を遮断し、前記下側表部材及び前記上側表部材を閉鎖した時に前記遮断状態を解除する
ことを特徴とする遊技媒体通路口における遊技機用シャッター装置。
【請求項２】
前記払出し受口の遮断及び遮断状態の解除を行うための第２遮蔽機構を前記受皿に設け、
前記第１遮蔽機構が前記払出し口を遮断したことに連動して前記第２遮蔽機構は前記払出し受口を遮断することを特徴とする請求項１に記載の遊技媒体通路口における遊技機用シャッター装置。
【請求項３】
前記第１遮蔽機構は、
前記遮断部材が前記払出し口を所定位置で遮断した状態で保持自在とするように前記テコ部材を一時係留する係留装置と、
前記上側表部材を前記表枠に対して閉鎖するとき、前記テコ部材の一時係留状態を解除して前記払出し口の遮断状態を解除する係留解除手段とを備えることを特徴とする請求項１または２に記載の遊技媒体通路口における遊技機用シャッター装置。
【請求項４】
前記係留装置は、
前記支持体にて一方を固定され、他方を前記テコ部材に固定されて前記テコ部材を前記
支持体側に付勢する第２弾性部材と、
前記下側表部材の開閉操作における移動部材と当接する当接部を前記遮断部材を軸支した前記テコ部材の反対側の他方端に設けて、
前記移動部材による所定方向の移動によって前記支点を中心に前記テコ部材の当接部も回動して、
前記テコ部材の前記一方先端側に軸支された前記遮断部材が前記払出し口を遮蔽状態とし、
前記移動部材の移動によって生じるテコ部材の回動が所定位置となった時に、前記テコ部材の他方端近傍に設けられた回動制限部材を第２弾性部材による付勢力によって突出させ前記テコ部材の回動を所定位置にて係留させ、
前記係留解除手段は、
前記上側表部材に設けられた突設部が前記上側表部材の閉鎖時に前記回動制限部材を構成する部材の一部と当接して第３弾性部材による付勢方向とは反対方向に移動させることにより、前記テコ部材の係留状態を解除する
ことを特徴とする請求項３に記載の遊技媒体通路口における遊技機用シャッター装置。
【請求項５】
前記第２遮蔽機構は、
第１弾性部材により、前記払出し受口の遮蔽方向に付勢した第２遮断部材を前記下側表部材に設け、
前記下側表部材の開放時に前記第２遮断部材が前記第１弾性部材の付勢力により前記払出し受口を遮蔽し、
前記下側表部材の閉鎖時に前記第２遮断部材に設けられた突設部が前記第１遮蔽機構に設けられている案内用突設部と係合することで、前記第１弾性部材の付勢力に抗して前記払出し受口に対する遮蔽状態を解除するように前記第２遮断部材を移動させることを特徴とする請求項２〜４のいずれかに記載の遊技媒体通路口における遊技機用シャッター装置。
【請求項６】
前記受皿及び前記払出し受口は、前記下側表部材に設けられ、
前記下側表部材は、前記上側表部材を開放しなければ開放できず、
前記上側表部材は、前記下側表部材を閉鎖しなければ閉鎖できない構造となっており、
前記下側表部材を開放すると、前記第１遮蔽機構は前記払出し口を遮断するとともに、前記第２遮蔽機構が前記払出し受口を遮断し、
前記下側表部材を閉鎖すると、前記第２遮蔽機構は前記払出し受口の遮断状態を解除し、
前記上側表部材を閉鎖すると、前記第１遮蔽機構は前記払出し口の遮断状態を解除する
ことを特徴とする請求項２〜５のいずれかに記載の遊技媒体通路口における遊技機用シャッター装置。
【請求項７】
前記払出し口に対し設けた前記第１遮蔽機構は、
前記表枠前面に対し着脱移動可能となる弾性変形可能な可動突設部により係合固着され、前記可動突設部を所定方向に弾性変形させると係合固着状態が解除されて着脱移動可となり、
前記弾性変形を戻すと再び係合固着される構造を有することを特徴とする請求項１〜６のいずれかに記載の遊技媒体通路口における遊技機用シャッター装置。
【請求項８】
前記払出し口より前記表枠前面の内部に遊技媒体を一時貯留させることのできる着脱可能な前記遊技媒体通路を備えた一時貯留タンクを設け、
前記払出し口に対し設けた前記第１遮蔽機構を所定位置に着脱移動させることにより、前記表枠前面から前記一時貯留タンクを着脱可能とさせるロック機能としていることを特徴とする請求項１〜７のいずれかに記載の遊技媒体通路口における遊技機用シャッター装置。
【請求項９】
前記第２遮蔽機構は、
前記払出し受口の遮蔽方向あるいは遮蔽解除方向に移動自在な第２遮断部材を前記下側表部材に設け、
前記下側表部材の前記表枠前面に対する開閉を検出する検出装置からの制御信号によって、前記第２遮断部材を駆動する所定駆動装置を備えたことを特徴とする請求項２に記載の遊技媒体通路口における遊技機用シャッター装置。
【手続補正２】
【補正対象書類名】明細書
【補正対象項目名】００１０
【補正方法】変更
【補正の内容】
【００１０】
【課題を解決するための手段】
本発明の遊技媒体通路口における遊技機用シャッター装置は、前述の技術的課題を解決するために以下のように構成されている。すなわち、遊技機の表枠前面に対し開閉自在な上側表部材及び下側表部材と、前記下側表部材に設けられた遊技媒体貯留可能な受皿へと遊技媒体を排出する前記表枠前面の内部に設けられた遊技媒体通路と、前記遊技媒体通路から遊技媒体が払い出される前記表枠側の払出し口と、前記払出し口と連通する前記受皿側の払出し受口と、を備えた遊技機の遊技媒体通路口における遊技機用シャッター装置において、前記払出し口の遮断及び遮断状態の解除を行う表枠側の第１遮蔽機構を備え、
前記第１遮蔽機構は、当該第１遮蔽機構の外装部材である支持体と、前記支持体における所定位置の支点を中心に揺動自在に軸支されたテコ部材と、前記テコ部材の一方先端側に回動自在に軸支された遮断部材と、を備え、
前記下側表部材の開放操作によって前記払出し口を遮断し、前記下側表部材及び前記上側表部材を閉鎖した時に前記遮断状態を解除することを特徴とする。
【手続補正３】
【補正対象書類名】明細書
【補正対象項目名】００１１
【補正方法】変更
【補正の内容】
【００１１】
この構成によれば、前記下側表部材及び上側表部材の開閉動作に連動して前記遊技媒体通路の内部、又は前記受皿内にある遊技媒体の外部への落下の防止及び当該防止状態の解除をする遮蔽機構を設けたことで、遊技継続中に一時中断して前記下側表部材を開放しなければならない不具合が生じても、前記遊技媒体の落下が防止される。
【手続補正４】
【補正対象書類名】明細書
【補正対象項目名】００１２
【補正方法】変更
【補正の内容】
【００１２】
また、前記払出し受口の遮断及び遮断状態の解除を行うための第２遮蔽機構を前記受皿に設け、前記第１遮蔽機構が前記払出し口を遮断したことに連動して前記第２遮蔽機構は前記払出し受口を遮断するようにすることが可能である。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
さらに、前記上側表部材及び下側表部材の開閉動作に連動して前記表枠側払出し受口より外部への落下の防止及び当該防止状態の解除をする遮蔽機構を設けたことで、遊技継続中に一時中断して下側表部材を開放しなければならない不具合が生じても、遊技媒体の落下が防止されるため一々前記表枠側払出し受口より遊技媒体を所定の貯留箱等に移す作業を行う必要がなくなる。結果として、前記上側表部材及び下側表部材の開放時に遊技者が席を外すことが少なくなって、遊技者が遊技途中で遊技機を変えることによる遊技者不利益がなくなり、ホール（営業店）側としても遊技機の稼働率の低下を防げる。更に、前記表部材を閉鎖する時に前記遊技媒体の落下の防止状態を解除させるようにしているため、メンテナンスの容易性や迅速性も図ることができるようになる。
【手続補正８】
【補正対象書類名】明細書
【補正対象項目名】００１６
【補正方法】変更
【補正の内容】
【００１６】
前記第１遮蔽機構は、前記遮断部材が前記払出し口を所定位置で遮断した状態で保持自在とするように前記テコ部材を一時係留する係留装置と、前記表部材を前記表枠に対して閉鎖するとき、前記テコ部材の一時係留状態を解除して前記払出し口の遮断状態を解除する係留解除手段とを備える構成とすることができる。
【手続補正９】
【補正対象書類名】明細書
【補正対象項目名】００１７
【補正方法】変更
【補正の内容】
【００１７】
前記係留装置は、前記支持体にて一方を固定され、他方を前記テコ部材に固定されて前記テコ部材を前記支持体側に付勢する第２弾性部材と、前記表部材の開閉手段における移動部材と当接する当接部を前記遮断部材を軸支した前記テコ部材の反対側の他方端に設けて、前記移動部材による所定方向の移動によって前記支点を中心に前記テコ部材の当接部も回動して、前記テコ部材の前記一方先端側に軸支された前記遮断部材が前記払出し口を遮蔽状態とし、前記移動部材の移動によって生じるテコ部材の回動が所定位置となった時に、前記テコ部材の他方端近傍に設けられた回動制限部材を第２弾性部材による弾力によって突出させ前記テコ部材の回動を所定位置にて係留させるものとすることが可能である
。
一方、前記係留解除手段は、前記表部材に設けられた突設部が前記表部材の閉鎖時に前記回動制限部材を構成する部材の一部と当接して第３弾性部材による弾力方向とは反対方向に移動させることにより、前記テコ部材の係留状態を解除するものとすることが可能である。
【手続補正１０】
【補正対象書類名】明細書
【補正対象項目名】００１８
【補正方法】変更
【補正の内容】
【００１８】
また、前記受皿及び前記払出し受口は、前記下側表部材に設けられ、前記下側表部材は、前記上側表部材を開放しなければ開放できず、前記上側表部材は、前記下側表部材を閉鎖しなければ閉鎖できない構造となっており、前記下側表部材を開放すると、前記第１遮蔽機構は前記払出し口を遮断するとともに、前記第２遮蔽機構が前記払出し受口を遮断し、前記下側表部材を閉鎖すると、前記第２遮蔽機構は前記払出し受口の遮断状態を解除し、前記上側表部材を閉鎖すると、前記第１遮蔽機構は前記払出し口の遮断状態を解除する構造とすることができる。
【手続補正１１】
【補正対象書類名】明細書
【補正対象項目名】００１９
【補正方法】変更
【補正の内容】
【００１９】
この構成によれば、上側表部材だけに前記表枠前面に対し開閉自在とするロック機構としての鍵を有するだけで下側表部材のロック機構も果たすことができるようになる。よって、コストの削減及び不正行為を防ぐことを図ることができるようになる。
また、下側表部材と上側表部材の閉鎖動作に連動して払出し口の遮断及び遮断状態の解除ができるので、操作が容易である。
【手続補正１２】
【補正対象書類名】明細書
【補正対象項目名】００２０
【補正方法】変更
【補正の内容】
【００２０】
前記第２遮蔽機構は、第１弾性部材により、前記払出し受口の遮蔽方向に付勢した第２遮断部材を前記下側表部材に設け、前記下側表部材の開放時に前記第２遮断部材が前記第１弾性部材の付勢力により前記払出し受口を遮蔽し、前記下側表部材の閉鎖時に前記第２遮断部材に設けられた突設部が前記第１遮蔽機構に設けられている案内用突設部と係合することで、前記第１弾性部材の付勢力に抗して前記払出し受口に対する遮蔽状態を解除するように前記第２遮断部材を移動させる構成とすることができる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
前記受皿及び前記払出し受口は、前記下側表部材に設けられ、前記下側表部材は、前記上側表部材を開放しなければ開放できず、前記上側表部材は、前記下側表部材を閉鎖しなければ閉鎖できない構造となっており、前記下側表部材を開放すると、前記第１遮蔽機構は前記払出し口を遮断するとともに、前記第２遮蔽機構が前記払出し受口を遮断し、前記下側表部材を閉鎖すると、前記第２遮蔽機構は前記払出し受口の遮断状態を解除し、前記上側表部材を閉鎖すると、前記第１遮蔽機構は前記払出し口の遮断状態を解除するものとすることができる。
【手続補正１５】
【補正対象書類名】明細書
【補正対象項目名】００２３
【補正方法】変更
【補正の内容】
【００２３】
前記払出し口に対し設けた前記第１遮蔽機構は、前記表枠前面に対し着脱移動可能となる弾性変形可能な可動突設部により係合固着され、前記可動突設部を所定方向に弾性変形させると係合固着状態が解除されて着脱移動可となり、前記弾性変形を戻すと再び係合固着される構造を有するものとすることができる。
【手続補正１６】
【補正対象書類名】明細書
【補正対象項目名】００２４
【補正方法】変更
【補正の内容】
【００２４】
前記払出し口より前記表枠前面の内部に遊技媒体を一時貯留させることのできる着脱可能な前記遊技媒体通路を備えた一時貯留タンクを設け、前記払出し口に対し設けた前記第１遮蔽機構を所定位置に着脱移動させることにより、前記表枠前面から前記一時貯留タンクを着脱可能とさせるロック機能とすることができる。
【手続補正１７】
【補正対象書類名】明細書
【補正対象項目名】００２６
【補正方法】変更
【補正の内容】
【００２６】
前記第２遮蔽機構は、前記払出し受口の遮蔽方向あるいは遮蔽解除方向に移動自在な第２遮断部材を前記下側表部材に設け、前記下側表部材の前記表枠前面に対する開閉を検出する検出装置からの制御信号によって、前記第２遮断部材を駆動する所定駆動装置を備えることが可能である。
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】符号の説明
【補正方法】変更
【補正の内容】
【符号の説明】
Ｉ…パチンコ遊技機（遊技機）
２…球受皿
３…外枠
４…表枠
５…窓枠
６…遊技盤
７…発射装置
８…操作ハンドル
９…透視部
１０…装飾ＬＥＤ
１１…装飾ランプ
１２…スピーカー
１３…誘導レール
１４…障害物
１５…入賞口
１６…アウト口
１７…画像表示装置
１８…始動口
１９…球受皿貯留部
２０…案内流路
２１…発射部入口
２２ａ…払出し口
２２ｂ…受け口
２３…抜き穴
２６…球貯留部
２９…遊技球排出通路（遊技媒体通路）
３３…遊技球貯留タンク
４０…上蓋部
４２…第２傾斜面
５０…貯留部
８０…第１遮蔽機構
８２…遮断部材
９０…第２遮蔽機構
９５…遮断部材（第２遮断部材）